(57)【要約】  端末装置が、基地局装置からあるセルにおいて複数の参照信号を受信する受信部と、前記複数の参照信号のうちの１つまたは複数の参照信号受信電力（ＲＳＲＰ）を測定する測定部と、前記測定した１つまたは複数のＲＳＲＰのうち、高いものからＮ個のＲＳＲＰを平均して、前記セルの基準ＲＳＲＰとする算出部と、を備える。
2018117147.tif 000002
【特許請求の範囲】
【請求項１】
端末装置であって、
基地局装置からあるセルにおいて複数の参照信号を受信する受信部と、
前記複数の参照信号のうちの１つまたは複数の参照信号受信電力（ＲＳＲＰ）を測定する測定部と、
前記測定した１つまたは複数のＲＳＲＰのうち、高いものからＮ個のＲＳＲＰを平均して、前記セルの基準ＲＳＲＰとする算出部と、
を備える端末装置。
【請求項２】
前記１つまたは複数のＲＳＲＰのいずれか１つに基づいて、前記あるセルにおいて送信する上りリンク信号および／または上りリンクチャネルの送信電力を決定する送信電力制御部と、
を備える請求項1記載の端末装置。
【請求項３】
前記参照信号は、セカンダリ同期信号である
請求項１記載の端末装置。
【請求項４】
基地局装置であって、
端末装置に、あるセルにおいて複数の参照信号を送信する送信部と、
前記端末装置が受信した前記複数の参照信号のうちの１つまたは複数の参照信号受信電力（ＲＳＲＰ）のうち、Ｎ個のＲＳＲＰを平均した基準ＲＳＲＰの測定レポートを受信する受信部と、
を備える基地局装置。
【請求項５】
前記受信部は、前記端末装置から、前記１つまたは複数のＲＳＲＰのいずれか１つに基づく送信電力で送信された上りリンク信号および／または上りリンクチャネルを受信する
を備える請求項４記載の基地局装置。
【請求項６】
前記参照信号は、セカンダリ同期信号である
請求項４記載の基地局装置。
【請求項７】
端末装置に用いられる通信方法であって、
基地局装置からあるセルにおいて複数の参照信号を受信し、
前記複数の参照信号のうちの１つまたは複数の参照信号受信電力（ＲＳＲＰ）を測定し、
前記測定した１つまたは複数のＲＳＲＰのうち、高いものからＮ個のＲＳＲＰを平均して、前記セルの基準ＲＳＲＰとする
通信方法。
【請求項８】
基地局装置に用いられる通信方法であって、
端末装置に、あるセルにおいて複数の参照信号を送信し、
前記端末装置が受信した前記複数の参照信号のうちの１つまたは複数の参照信号受信電力（ＲＳＲＰ）のうち、Ｎ個のＲＳＲＰを平均した基準ＲＳＲＰの測定レポートを受信する
通信方法。
【発明の詳細な説明】
【技術分野】
【０００１】
本発明は、端末装置、基地局装置、および、通信方法に関する。
本願は、２０１６年１２月２０日に日本に出願された特願２０１６−２４６４６１号について優先権を主張し、その内容をここに援用する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、ＬＴＥ（Long Term Evolution）−Ａｄｖａｎｃｅｄ  Ｐｒｏ及びＮＲ（New Radio technology）の技術検討及び規格策定が行われている（非特許文献１）。【０００３】
第５世代のセルラーシステムでは、高速・大容量伝送を実現するｅＭＢＢ（enhanced Mobile BroadBand）、低遅延・高信頼通信を実現するＵＲＬＬＣ（Ultra-Reliable and Low Latency Communication）、ＩｏＴ（Internet of Things）などマシン型デバイスが多数接続するｍＭＴＣ（massive Machine Type Communication）の３つがサービスの想定シナリオとして要求されている。【０００４】
ＮＲでは、高い周波数で多数のアンテナエレメントを用いてビームフォーミングゲインによりカバレッジを確保するマッシブＭＩＭＯ（Multiple-Input Multiple-Output）の技術検討が行われている（非特許文献２、非特許文献３、非特許文献４）。
【先行技術文献】
【非特許文献】
【０００５】
【非特許文献１】ＲＰ−１６１２１４  ＮＴＴ  ＤＯＣＯＭＯ，“Ｒｅｖｉｓｉｏｎ  ｏｆ  ＳＩ：Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】Ｒ１−１６２８８３  Ｎｏｋｉａ，Ａｌｃａｔｅｌ−Ｌｕｃｅｎｔ  ＳｈａｎｇｈａｉＢｅｌｌ，“Ｂａｓｉｃ  Ｐｒｉｎｃｉｐｌｅｓ  ｆｏｒ  ｔｈｅ  ５Ｇ  Ｎｅｗ  Ｒａｄｉｏ  Ａｃｃｅｓｓ  ｔｅｃｈｎｏｌｏｇｙ”，２０１６年４月
【非特許文献３】Ｒ１−１６２３８０，Ｉｎｔｅｌ  Ｃｏｒｐｏｒａｔｉｏｎ，“Ｏｖｅｒｖｉｅｗ  ｏｆｏｆ  ａｎｔｅｎｎａ  ｔｅｃｈｎｏｌｏｇｙ  ｆｏｒ  ｎｅｗ  ｒａｄｉｏ  ｉｎｔｅｒｆａｃｅ”，２０１６年，４月
【非特許文献４】Ｒ１−１６３２１５，Ｅｒｉｃｓｓｏｎ，“Ｏｖｅｒｖｉｅｗ  ｏｆ  ＮＲ”，２０１６年，４月
【発明の概要】
【発明が解決しようとする課題】
【０００６】
本発明の一態様は効率的に基地局装置と通信することができる端末装置、該端末装置と通信する基地局装置、該端末装置に用いられる通信方法、該基地局装置に用いられる通信方法を提供する。例えば、該端末装置、および、該基地局装置に用いられる通信方法は、効率的な通信、複雑性の低減、セル間、および／または、端末装置間の干渉を低減するための、上りリンク送信方法、変調方法、および／または、符号化方法を含んでもよい。
【課題を解決するための手段】
【０００７】
（１）本発明の一態様は、以下のような手段を講じた。すなわち、本発明の第１の態様は、端末装置であって、基地局装置からあるセルにおいて複数の参照信号を受信する受信部と、前記複数の参照信号のうちの１つまたは複数の参照信号受信電力（ＲＳＲＰ）を測定する測定部と、前記測定した１つまたは複数のＲＳＲＰのうち、高いものからＮ個のＲＳＲＰを平均して、前記セルの基準ＲＳＲＰとする算出部と、を備える。【０００８】
（２）本発明の第２の態様は、端末装置であって、前記１つまたは複数のＲＳＲＰのいずれか１つに基づいて、前記あるセルにおいて送信する上りリンク信号および／または上りリンクチャネルの送信電力を決定する送信電力制御部と、を備える。【０００９】
（３）本発明の第３の態様は、端末装置であって、前記参照信号は、セカンダリ同期信号である。【００１０】
（４）本発明の第４の態様は、基地局装置であって、端末装置に、あるセルにおいて複数の参照信号を送信する送信部と、前記端末装置が受信した前記複数の参照信号のうちの１つまたは複数の参照信号受信電力（ＲＳＲＰ）のうち、Ｎ個のＲＳＲＰを平均した基準ＲＳＲＰの測定レポートを受信する受信部と、を備える。【００１１】
（５）本発明の第５の態様は、基地局装置であって、前記受信部は、前記端末装置から、前記１つまたは複数のＲＳＲＰのいずれか１つに基づく送信電力で送信された上りリンク信号および／または上りリンクチャネルを受信する。【００１２】
（６）本発明の第６の態様は、基地局装置であって、前記参照信号は、セカンダリ同期信号である。【００１３】
（７）本発明の第７の態様は、端末装置に用いられる通信方法であって、基地局装置からあるセルにおいて複数の参照信号を受信し、前記複数の参照信号のうちの１つまたは複数の参照信号受信電力（ＲＳＲＰ）を測定し、前記測定した１つまたは複数のＲＳＲＰのうち、高いものからＮ個のＲＳＲＰを平均して、前記セルの基準ＲＳＲＰとする。【００１４】
（８）本発明の第８の態様は、基地局装置に用いられる通信方法であって、端末装置に、あるセルにおいて複数の参照信号を送信し、前記端末装置が受信した前記複数の参照信号のうちの１つまたは複数の参照信号受信電力（ＲＳＲＰ）のうち、Ｎ個のＲＳＲＰを平均した基準ＲＳＲＰの測定レポートを受信する。
【発明の効果】
【００１５】
この発明の一態様によれば、端末装置および基地局装置は互いに効率的に通信および／または複雑性の低減をすることができる。
【図面の簡単な説明】
【００１６】
【図１】本発明の実施形態に係る無線通信システムの概念図である。
【図２】本発明の実施形態に係る下りリンクスロットの概略構成の一例を示す図である。
【図３】本発明の実施形態に係るサブフレーム、スロット、ミニスロットの時間領域における関係を示す図である。
【図４】本発明の実施形態に係るスロットまたはサブフレームの一例を示す図である。
【図５】本発明の実施形態に係るビームフォーミングの一例を示す図である。
【図６】本発明の実施形態に係る１つまたは複数のセルにおいて送信ビームの適用された複数の参照信号が送信される概念を示す図である。
【図７】本発明の実施形態に係る端末装置１があるセルにおいて３つの参照信号の設定を特定する情報を受信した場合の例を示す図である。
【図８】本発明の実施形態に係る端末装置１があるセルをキャンプするに適したセルとして選択する場合の手順を示すフロー図である。
【図９】本発明の実施形態に係る端末装置１が在圏セルにおいて送信する上りリンク信号および／または上りリンクチャネルの送信電力を決定する送信電力制御の手順について示すフロー図である。
【図１０】本発明の実施形態に係る端末装置１の構成を示す概略ブロック図である。
【図１１】本発明の実施形態に係る基地局装置３の構成を示す概略ブロック図である。
【発明を実施するための形態】
【００１７】
以下、本発明の実施形態について説明する。
【００１８】
ＬＴＥ（およびＬＴＥ−Ａｄｖａｎｃｅｄ  Ｐｒｏ）とＮＲは、異なるＲＡＴ（Radio Access Technology）として定義されてもよい。ＮＲは、ＬＴＥに含まれる技術として定義されてもよい。本実施形態はＮＲ、ＬＴＥおよび他のＲＡＴに適用されてよい。以下の説明では、ＬＴＥに関連する用語を用いて説明するが、他の用語を用いる他の技術においても適用されてもよい。
【００１９】
図１は、本発明の実施形態に係る無線通信システムの概念図である。図１において、無線通信システムは、端末装置１Ａ、端末装置１Ｂ、基地局装置３を具備する。端末装置１Ａ、および、端末装置１Ｂを、端末装置１とも称する。
【００２０】
端末装置１は、移動局装置、ユーザ端末（UE: User Equipment）、通信端末、移動機、端末、ＭＳ（Mobile Station）などと称される場合もある。基地局装置３は、無線基地局装置、基地局、無線基地局、固定局、ＮＢ（Node B）、ｅＮＢ（evolved Node B）、ＮＲ  ＮＢ（NR Node B）、ｇＮＢ（next generation Node B）、アクセスポイント、ＢＴＳ（Base Transceiver Station）、ＢＳ（Base Station）などと称される場合もある。基地局装置３は、コアネットワーク装置を含んでもよい。また、基地局装置３は、１つまたは複数の送受信点４（ｔｒａｎｓｍｉｓｓｉｏｎ  ｒｅｃｅｐｔｉｏｎ  ｐｏｉｎｔ：ＴＲＰ）を具備してもよい。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、１つのセルを複数の部分領域（Ｂｅａｍｅｄ  ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００２１】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２２】
基地局装置３から端末装置１への無線通信リンクを下りリンクと称する。端末装置１から基地局装置３への無線通信リンクを上りリンクと称する。端末装置１から他の端末装置１への無線通信リンクをサイドリンクと称する。
【００２３】
図１において、端末装置１と基地局装置３の間の無線通信および／または端末装置１と他の端末装置１の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２４】
また、図１において、端末装置１と基地局装置３の間の無線通信および／または端末装置１と他の端末装置１の間の無線通信では、ユニバーサルフィルタマルチキャリア（UFMC: Universal-Filtered Multi-Carrier）、フィルタＯＦＤＭ（F-OFDM: Filtered OFDM）、窓が乗算されたＯＦＤＭ（Windowed OFDM）、フィルタバンクマルチキャリア（FBMC: Filter-Bank Multi-Carrier）が用いられてもよい。
【００２５】
なお、本実施形態ではＯＦＤＭを伝送方式としてＯＦＤＭシンボルで説明するが、上述の他の伝送方式の場合を用いた場合も本発明の一態様に含まれる。例えば、本実施形態におけるＯＦＤＭシンボルはＳＣ−ＦＤＭシンボル（ＳＣ−ＦＤＭＡ（Single-Carrier Frequency Division Multiple Access）シンボルと称される場合もある）であってもよい。
【００２６】
また、図１において、端末装置１と基地局装置３の間の無線通信および／または端末装置１と他の端末装置１の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２７】
本実施形態では、端末装置１に対して１つまたは複数のサービングセルが設定される。設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、１つまたは複数のセカンダリーセルが設定されてもよい。
【００２８】
本実施形態の無線通信システムは、ＴＤＤ（Time Division Duplex）および／またはＦＤＤ（Frequency Division Duplex）が適用されてよい。複数のセルの全てに対してＴＤＤ（Time Division Duplex）方式またはＦＤＤ（Frequency Division Duplex）方式が適用されてもよい。また、ＴＤＤ方式が適用されるセルとＦＤＤ方式が適用されるセルが集約されてもよい。
【００２９】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００３０】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００３１】
図１において、端末装置１と基地局装置３の無線通信では、以下の物理チャネルが用いられる。物理チャネルは、上位層から出力された情報を送信するために使用される。
【００３２】
・ＰＢＣＨ（Physical Broadcast CHannel）
・ＰＣＣＨ（Physical Control CHannel）
・ＰＳＣＨ（Physical Shared CHannel）
・ＰＲＡＣＨ（Physical Random Access CHannel）
【００３３】
ＰＢＣＨは、端末装置１が必要とする重要なシステム情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Wrap around）。また、セル内の領域ごとに異なる重要情報ブロックが送信される場合には領域を識別できる情報（例えば、領域を構成する基地局送信ビームの識別子情報）が含まれてもよい。ここで、基地局送信ビームの識別子情報は、基地局送信ビーム（プリコーディング）のインデックスを用いて示されてもよい。また、セル内の領域ごとに異なる重要情報ブロック（重要情報メッセージ）が送信される場合にはフレーム内の時間位置（例えば、当該重要情報ブロック（重要情報メッセージ）が含まれるサブフレーム番号）を識別できる情報が含まれてもよい。すなわち、異なる基地局送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。
【００３４】
ＰＣＣＨは、上りリンクの無線通信（端末装置１から基地局装置３の無線通信）の場合には、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH）に対するＨＡＲＱ−ＡＣＫを示してもよい。
【００３５】
また、ＰＣＣＨは、下りリンクの無線通信（基地局装置３から端末装置１への無線通信）の場合には、下りリンク制御情報（Downlink Control Information: DCI）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３６】
例えば、ＤＣＩとして、スケジューリングされたＰＳＣＨに含まれる信号が下りリンクの無線通信か上りリンクの無線通信か示す情報を含むＤＣＩが定義されてもよい。
【００３７】
例えば、ＤＣＩとして、スケジューリングされたＰＳＣＨに含まれる下りリンクの送信期間を示す情報を含むＤＣＩが定義されてもよい。
【００３８】
例えば、ＤＣＩとして、スケジューリングされたＰＳＣＨに含まれる上りリンクの送信期間を示す情報を含むＤＣＩが定義されてもよい。
【００３９】
例えば、ＤＣＩとして、スケジューリングされたＰＳＣＨに対するＨＡＲＱ−ＡＣＫを送信するタイミング（例えば、ＰＳＣＨに含まれる最後のシンボルからＨＡＲＱ−ＡＣＫ送信までのシンボル数）示す情報を含むＤＣＩが定義されてもよい。
【００４０】
例えば、ＤＣＩとして、スケジューリングされたＰＳＣＨに含まれる下りリンクの送信期間、ギャップ、及び上りリンクの送信期間を示す情報を含むＤＣＩが定義されてもよい。
【００４１】
例えば、ＤＣＩとして、１つのセルにおける１つの下りリンクの無線通信ＰＳＣＨ（１つの下りリンクトランスポートブロックの送信）のスケジューリングのために用いられるＤＣＩが定義されてもよい。
【００４２】
例えば、ＤＣＩとして、１つのセルにおける１つの上りリンクの無線通信ＰＳＣＨ（１つの上りリンクトランスポートブロックの送信）のスケジューリングのために用いられるＤＣＩが定義されてもよい。
【００４３】
ここで、ＤＣＩには、ＰＳＣＨに上りリンクまたは下りリンクが含まれる場合にＰＳＣＨのスケジューリングに関する情報が含まれる。ここで、下りリンクに対するＤＣＩを、下りリンクグラント（downlink grant）、または、下りリンクアサインメント（downlink assignment）とも称する。ここで、上りリンクに対するＤＣＩを、上りリンクグラント（uplink grant）、または、上りリンクアサインメント（Uplink assignment）とも称する。
【００４４】
ＰＳＣＨは、媒介アクセス（MAC: Medium Access Control）からの上りリンクデータ（UL-SCH: Uplink Shared CHannel）または下りリンクデータ（DL-SCH: Downlink Shared CHannel）の送信に用いられる。また、下りリンクの場合にはシステム情報（SI: System Information）やランダムアクセス応答（RAR: Random Access Response）などの送信にも用いられる。上りリンクの場合には、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４５】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００４６】
ＰＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、端末装置固有（ＵＥスペシフィック）な情報は、ある端末装置１に対して専用のシグナリングを用いて送信されてもよい。ＰＳＣＨは、上りリンクに置いてＵＥの能力（UE Capability）の送信に用いられてもよい。
【００４７】
なお、ＰＣＣＨおよびＰＳＣＨは下りリンクと上りリンクで同一の呼称を用いているが、下りリンクと上りリンクで異なるチャネルが定義されてもよい。例えば、下りリンクの共有チャネルは、物理下りリンク共有チャネル（ＰＤＳＣＨ：Physical Downlink Shared CHannel）と称されてよい。また、上りリンクの共有チャネルは物理上りリンク共有チャネル（ＰＵＳＣＨ：Physical Uplink Shared CHannel）と称されてよい。また、下りリンクの制御チャネルは物理下りリンク制御チャネル（ＰＤＣＣＨ：Physical Downlink Control CHannel）と称されてよい。上りリンクの制御チャネルは物理上りリンク制御チャネル（ＰＵＣＣＨ：Physical Uplink Control CHannel）と称されてよい。
【００４８】
ＰＲＡＣＨは、ランダムアクセスプリアンブルを送信するために用いられてもよい。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、および上りリンクのＰＳＣＨ（ＵＬ−ＳＣＨ）リソースの要求を示すために用いられてもよい。
【００４９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
【００５０】
同期信号は、端末装置１が下りリンクの周波数領域および時間領域の同期をとるために用いられる。同期信号は、プライマリ同期信号（ＰＳＳ：Primary Synchronization Signal）およびセカンダリ同期信号（ＳＳＳ）を含んでよい。また、同期信号は、端末装置１がセル識別子（セルＩＤ：Cell Identifier）を特定するために用いられてもよい。また、同期信号は、下りリンクビームフォーミングにおいて基地局装置３が用いる基地局送信ビームおよび／または端末装置１が用いる端末受信ビームの選択／識別／決定に用いられて良い。すなわち、同期信号は、基地局装置３によって下りリンク信号に対して適用された基地局送信ビームのインデックスを、端末装置１が選択／識別／決定するために用いられてもよい。
【００５１】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
【００５２】
・ＤＭＲＳ（Demodulation Reference Signal）
・ＣＳＩ−ＲＳ（Channel State Information Reference Signal）
・ＰＴＲＳ（Phase Tracking Reference Signal）
・ＭＲＳ（Mobility Reference Signal）
【００５３】
ＤＭＲＳは、受信した変調信号の復調時の伝搬路補償に用いられてよい。ＤＭＲＳは、ＰＳＣＨの復調用、ＰＣＣＨの復調用、および／またはＰＢＣＨの復調用のＤＭＲＳを総じてＤＭＲＳと称してもよいし、それぞれ個別に定義されてもよい。
【００５４】
ＣＳＩ−ＲＳは、チャネル状態測定に用いられてよい。ＰＴＲＳは、端末の移動等により位相をトラックするために使用されてよい。ＭＲＳは、ハンドオーバのための複数の基地局装置からの受信品質を測定するために使用されてよい。
【００５５】
また、参照信号には、位相雑音を補償するための参照信号が定義されてもよい。
【００５６】
ただし、上記複数の参照信号の少なくとも一部は、他の参照信号がその機能を有してもよい。
【００５７】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置１に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００５８】
また、参照信号の少なくとも１つは、無線パラメータやサブキャリア間隔などのヌメロロジーやＦＦＴの窓同期などができる程度の細かい同期（Fine synchronization）に用いられて良い。
【００５９】
また、参照信号の少なくとも１つは、無線リソース測定（ＲＲＭ：Radio Resource Measurement）に用いられてよい。また、参照信号の少なくとも１つは、ビームマネジメントに用いられてよい。
【００６０】
また、参照信号の少なくとも１つには、同期信号が用いられてもよい。
【００６１】
以下、サブフレームについて説明する。本実施形態ではサブフレームと称するが、リソースユニット、無線フレーム、時間区間、時間間隔などと称されてもよい。
【００６２】
図２は、本発明の実施形態に係る下りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００６３】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下りリンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００６４】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Extended CP）の場合、１つの物理リソースブロックは、例えば、時間領域において６個の連続するＯＦＤＭシンボルと、周波数領域において１２個の連続するサブキャリアとにより定義される。つまり、１つの物理リソースブロックは、（６×１２）個のリソースエレメントから構成される。このとき、１つの物理リソースブロックは、時間領域において１つのスロットに対応し、周波数領域において１８０ｋＨｚに対応する。物理リソースブロックは、周波数領域において０から番号が付けられている。
【００６５】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００６６】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。
【００６７】
図４に、スロットまたはサブフレームの一例を示している。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。
【００６８】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＰＣＣHを介して上りリンクのスケジューリングを行い、ＰＣＣＨの処理遅延及び下りから上りの切り替え時間、送信信号の生成のためのギャップを介して上りリンク信号を送信する。図４（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（上りリンクのＰＳＣＨまたはＰＣＣＨ）に用いられている例である。
【００６９】
上述の下りリンクパート、上りリンクパートは、ＬＴＥと同様複数のＯＦＤＭシンボルで構成されてよい。
【００７０】
本発明の実施形態におけるビームフォーミング、ビームマネジメントおよび／またはビームスウィーピングについて説明する。
【００７１】
送信側（下りリンクの場合は基地局装置３であり、上りリンクの場合は端末装置１である）におけるビームフォーミングは、複数の送信アンテナエレメントの各々に対してアナログまたはデジタルで振幅・位相を制御することで任意の方向に高い送信アンテナゲインで信号を送信する方法であり、そのフィールドパターンを送信ビームと称する。また、受信側（下りリンクの場合は端末装置１、上りリンクの場合は基地局装置３である）におけるビームフォーミングは、複数の受信アンテナエレメントの各々に対してアナログまたはデジタルで振幅・位相を制御することで任意の方向に高い受信アンテナゲインで信号を受信する方法であり、そのフィールドパターンを受信ビームと称する。ビームマネジメントは、送信ビームおよび／または受信ビームの指向性合わせ、ビーム利得を獲得するための基地局装置３および／または端末装置１の動作であってよい。
【００７２】
図５に、ビームフォーミングの一例を示す。複数のアンテナエレメントは１つの送信ユニット（TXRU: Transceiver unit）５０に接続され、アンテナエレメント毎の位相シフタ５１によって位相を制御し、アンテナエレメント５２から送信することで送信信号に対して任意の方向にビームを向けることができる。典型的には、ＴＸＲＵ５０がアンテナポートとして定義されてよく、端末装置１においてはアンテナポートのみが定義されてよい。位相シフタ５１を制御することで任意の方向に指向性を向けることができるため、基地局装置３は端末装置１に対して利得の高いビームを用いて通信することができる。
【００７３】
ビームフォーミングは、ヴァーチャライゼーション、プリコーディング、ウェイトの乗算などと称されてもよい。また、単にビームフォーミングを用いて送信された信号そのものを送信ビームと呼んでもよい。
【００７４】
本実施形態では、上りリンク送信のビームフォーミングで端末装置１が使用する送信ビームを上りリンク送信ビーム（UL Tx beam）と称し、上りリンク受信のビームフォーミングで基地局装置３が使用する受信ビームを上りリンク受信ビーム（UL Rx beam）と称する。また、下りリンク送信のビームフォーミングで基地局装置３が使用する送信ビームを下りリンク送信ビーム（DL Tx beam）と称し、下りリンク受信のビームフォーミングで端末装置１が使用する受信ビームを下りリンク受信ビーム（DL Rx beam）と称する。ただし、上りリンク送信ビームと上りリンク受信ビームを総じて上りリンクビーム、下りリンク送信ビームと下りリンク受信ビームを総じて下りリンクビームと称してもよい。ただし、上りリンクビームフォーミングのために端末装置１が行う処理を上りリンク送信ビーム処理、または上りリンクプリコーディングと称し、上りリンクビームフォーミングのために基地局装置３が行う処理を上りリンク受信ビーム処理と称してもよい。ただし、下りリンクビームフォーミングのために端末装置１が行う処理を下りリンク受信ビーム処理と称し、下りリンクビームフォーミングのために基地局装置３が行う処理を下りリンク送信ビーム処理または下りリンクプリコーディングと称してもよい。
【００７５】
ただし、１ＯＦＤＭシンボルで基地局装置３が複数の下りリンク送信ビームを用いて信号を送信してもよい。例えば、基地局装置３のアンテナエレメントをサブアレーに分割して各サブアレーで異なる下りリンクビームフォーミングを行ってもよい。偏波アンテナを用いて各偏波で異なる下りリンクビームフォーミングを行ってもよい。同様に１ＯＦＤＭシンボルで端末装置１が複数の上りリンク送信ビームを用いて信号を送信してもよい。
【００７６】
ただし、本実施形態では、基地局装置３および／または送受信点４が構成するセル内で当該基地局装置３が複数の下りリンク送信ビームを切り替えて使用する場合を説明するが、下りリンク送信ビーム毎に個別のセルが構成されてもよい。
【００７７】
ビームマネジメントには、下記の動作を含んでよい。
【００７８】
・ビーム選択（Beam selection）
・ビーム改善（Beam refinement）
・ビームリカバリ（Beam recovery）
【００７９】
例えば、ビーム選択は、基地局装置３と端末装置１の間の通信においてビームを選択する動作であってよい。また、ビーム改善は、さらに利得の高いビームの選択、あるいは端末装置１の移動によって最適な基地局装置３と端末装置１の間のビームの変更をする動作であってよい。ビームリカバリは、基地局装置３と端末装置１の間の通信において遮蔽物や人の通過などにより生じるブロッケージにより通信リンクの品質が低下した際にビームを再選択する動作であってよい。
【００８０】
例えば、端末装置１における基地局装置３の送信ビームを選択する際に参照信号（例えば、ＣＳＩ−ＲＳ）を用いてもよいし、擬似同位置（ＱＣＬ：Quasi Co-Location）想定を用いてもよい。
【００８１】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００８２】
このＱＣＬは、ビームマネジメントにも拡張されうる。そのために、空間に拡張したＱＣＬが新たに定義されてもよい。例えば、空間のＱＣＬ想定におけるチャネルの長区間特性（Long term property）として、無線リンクあるいはチャネルにおける到来角（AoA（Angle of Arrival）, ZoA（Zenith angle of Arrival）など）および／または角度広がり（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSS（Zenith angle Spread of Departure））、空間相関（Spatial Correlation）であってもよい。
【００８３】
この方法により、ビームマネジメントとして、空間のＱＣＬ想定と無線リソース（時間および／または周波数）によりビームマネジメントと等価な基地局装置３、端末装置１の動作が定義されてもよい。
【００８４】
ただし、プリコーディングあるいは送信ビームの各々に対してアンテナポートが割り当てられてもよい。例えば、本実施形態に係る異なるプリコーディングを用いて送信される信号あるいは異なる送信ビームを用いて送信される信号は異なる一つまたは複数のアンテナポートで送信される信号として定義されてもよい。ただし、アンテナポートは、あるアンテナポートであるシンボルが送信されるチャネルを、同一のアンテナポートで別のシンボルが送信されるチャネルから推定できるものとして定義される。同一のアンテナポートとは、アンテナポートの番号（アンテナポートを識別するための番号）が、同一であることであってもよい。複数のアンテナポートでアンテナポートセットが構成されてもよい。同一のアンテナポートセットとは、アンテナポートセットの番号（アンテナポートセットを識別するための番号）が、同一であることであってもよい。異なる端末送信ビームを適用して信号を送信するとは、異なるアンテナポートまたは複数のアンテナポートで構成される異なるアンテナポートセットで信号を送信することであってもよい。ビームインデックスはそれぞれＯＦＤＭシンボル番号、アンテナポート番号またはアンテナポートセット番号であってもよい。
【００８５】
トランスフォームプリコーディングには、レイヤマッピングで生成された、一つまたは複数のレイヤに対する複素変調シンボルが入力される。トランスフォームプリコーディングは、複素数シンボルのブロックを、一つのＯＦＤＭシンボルに対応するそれぞれのレイヤごとのセットに分割する処理であってもよい。ＯＦＤＭが使われる場合には、トランスフォームプリコーディングでのＤＦＴ（Discrete Fourier Transform）の処理は必要ないかもしれない。プリコーディングは、トランスフォームプリコーダからの得られたベクターのブロックを入力として、リソースエレメントにマッピングするベクターのブロックを生成することであってもよい。空間多重の場合、リソースエレメントにマッピングするベクターのブロックを生成する際に、プリコーディングマトリックスの一つを適応してもよい。この処理を、デジタルビームフォーミングと呼んでもよい。また、プリコーディングは、アナログビームフォーミングとデジタルビームフォーミングを含んで定義されてもよいし、デジタルビームフォーイングとして定義されてもよい。プリコーディングされた信号にビームフォーミングが適用されるようにしてもよいし、ビームフォーミングが適用された信号にプリコーディングが適用されるようにしてもよい。ビームフォーミングは、アナログビームフォーミングを含んでデジタルビームフォーミングを含まなくてもよいし、デジタルビームフォーミングとアナログビームフォーミングの両方を含んでもよい。ビームフォーミングされた信号、プリコーディングされた信号、またはビームフォーミングおよびプリコーディングされた信号をビームと呼んでもよい。ビームのインデックスはプレコーディングマトリックスのインデックスでもよい。ビームのインデックスとプリコーディングマトリックスのインデックスが独立に定義されてもよい。ビームのインデックスで示されたビームにプリコーディングマトリックスのインデックスで示されるプリコーディングマトリックスを適用して信号を生成してもよい。プリコーディングマトリックスのインデックスで示されるプリコーディングマトリックスを適用した信号に、ビームのインデックスで示されたビームフォーミングを適用して信号を生成してもよい。デジタルビームフォーミングは、周波数方向のリソース（例えば、サブキャリアのセット）に異なるプリコーディングマトリックス適応することかもしれない。
【００８６】
本実施形態における端末装置１のセル選択手順について説明する。
【００８７】
図６は、端末装置１が、複数の基地局装置３からそれぞれ独立した送信ビームが適用された複数の参照信号を受信している場合を示している。例えば、端末装置１は、セル１００を構成する基地局装置３から送信ビームｂ１−１〜ｂ１−Ｐを用いた複数の参照信号Ｔ１−１〜Ｔ１−Ｐを受信する。一例として、端末装置１があるセル（例えば、セル１００）をキャンプするに適したセル（suitable cell）として選択する場合の手順を図８に示すフロー図を用いて説明する。
【００８８】
図８のステップＳ１００１において、端末装置１は、１つまたは複数の基地局装置３から同期信号、システム情報、および／または上位レイヤ信号を介して、１つまたは複数のセルのそれぞれに対応する複数の参照信号の設定を特定するための情報を受信する。または、図８のステップＳ１００１において、端末装置１は、１つまたは複数のセルのそれぞれに対応する複数の参照信号の設定を特定するための情報に基づくことなく、１つまたは複数のセルのそれぞれに対応する複数の参照信号の設定を特定してもよい。
【００８９】
複数の参照信号の設定を特定するための情報の一例は、複数の送信ビームを用いて送信される参照信号の各々に割り当てられている複数の時間および／または周波数のリソース設定を特定するための情報であってもよい。例えば、参照信号が割り当てられている時間および／または周波数のリソースを特定するための情報は、セル識別子（Ｃｅｌｌ  ＩＤ）および／またはビーム識別子（Ｂｅａｍ  ＩＤ）であってもよい。例えば、参照信号が割り当てられている時間および／または周波数のリソースを特定するための情報は、ビットマップで対応するリソースが示される情報であってもよい。また、複数の参照信号の設定を特定するための情報の一例は、複数の送信ビームを用いて送信される参照信号の各々の系列を特定するための情報であってもよい。
【００９０】
複数の参照信号の設定を特定するための情報の別の一例は、複数の送信ビームを用いた参照信号の各々が割り当てられているアンテナポート番号を特定する情報であってもよい。
【００９１】
ただし、端末装置１は、前記基地局装置３から受信した信号から暗黙的に複数の参照信号の設定を特定してもよい。例えば、端末装置１は、ある参照信号を受信したリソースおよび／または系列からその参照信号の設定（例えば、ビーム識別子、系列等）を特定してもよい。
【００９２】
端末装置１は、特定した複数の参照信号の設定に基づいて、対応する複数の参照信号を受信する。
【００９３】
図８のステップＳ１００２において、端末装置１は、キャンプするに適したセルを選択するために、それぞれのセルにおける複数の参照信号の設定の少なくとも一部（例えば、対応する設定のそれぞれを参照信号設定Ａと称する）に対応する複数の参照信号のそれぞれの参照信号受信電力（Ｒｅｆｅｒｅｎｃｅ  Ｓｉｇｎａｌ  Ｒｅｃｅｉｖｅｄ  Ｐｏｗｅｒ；ＲＳＲＰ）（例えば、各参照信号設定Ａに対応するＲＳＲＰのそれぞれを受信電力ＰＡと称する）および／または参照信号受信品質（Ｒｅｆｅｒｅｎｃｅ  Ｓｉｇｎａｌ  Ｒｅｃｅｉｖｅｄ  Ｑｕａｌｉｔｙ；ＲＳＲＱ）（例えば、参照信号設定Ａに対応するＲＳＲＱのそれぞれを受信品質ＱＡと称する）を測定／特定する。例えば、セルから送信された複数の参照信号に対応する複数の時間／周波数リソースおよび／または複数のアンテナポートのそれぞれにおけるＲＳＲＰおよび／またはＲＳＲＱを測定／特定してもよい。
【００９４】
ただし、上記参照信号の設定に基づいて受信する参照信号は同期信号であってもよい。例えば、
【００９５】
図７は、端末装置１があるセルにおいて３つの参照信号の設定（参照信号設定Ａ）を特定する情報を受信した場合の例を示している。端末装置１が受信した情報から特定される設定１は、対応する参照信号が周波数および／または時間リソースがリソース１に割り当てられていることを示しており、対応する受信電力ＰＡはリソース１におけるＲＳＲＰである。端末装置１が受信した情報から特定される設定２は、対応する参照信号が周波数および／または時間リソースがリソース２に割り当てられていることを示しており、対応する受信電力ＰＡはリソース２におけるＲＳＲＰである。端末装置１が受信した情報から特定される設定３は、対応する参照信号が周波数および／または時間リソースがリソース３に割り当てられていることを示しており、対応する受信電力ＰＡはリソース３におけるＲＳＲＰである。
【００９６】
図８のステップＳ１００３において、端末装置１は、各セルにおいて測定／特定された１つまたは複数の受信電力ＰＡおよび／または各セルにおいて測定／特定された１つまたは複数の受信品質ＱＡに基づいてキャンプするに適したセルを選択する。例えば、端末装置１は、各セルにおいて測定／特定された複数の受信電力ＰＡに基づいてそれぞれのセルにおける基準値ＲＰを算出してもよい。また、端末装置１は、各セルにおいて測定／特定された複数の受信品質ＱＡに基づいて基準値ＲＱを算出してもよい。端末装置１は、各セルにおいて算術された基準値ＲＰおよび／または基準値ＲＱに基づいてキャンプするに適したセルを選択してもよい。
【００９７】
例えば、端末装置１は、自装置がサポートする周波数帯域で、最も強いセル（strongest cell）（例えば、第１の基準値が最も高いセル）を探索し、該セルがキャンプするに適したセルである場合に、該セルを選択してキャンプする。ただし、キャンプするに適したセルとは、所定のセル選択基準を満たし、かつ、該セルにキャンプすることを許可されているセルである。また、所定のセル選択基準とは、例えば、第１の基準値が所定の閾値以上であるか、および／または、第２の基準値が所定の閾値以上であるか、により定義されてよい。
【００９８】
ただし、あるセルを構成する基地局装置３が異なる下りリンク送信ビームを用いて複数の参照信号を送信する場合、（および／または、端末装置１が複数の下りリンク受信ビームを用いて複数の参照信号を受信する場合、）端末装置１が受信した参照信号のＲＳＲＰは使用された下りリンク送信ビーム（および／または下りリンク受信ビーム）によるビーム利得に依存する。したがって、端末装置１が、複数の下りリンク送信ビーム（および／または下りリンク受信ビーム）を用いた参照信号を受信した場合に、どのようにキャンプするに適したセルを選択および／または再選択するか、が問題となる。
【００９９】
一例として、端末装置１は、基地局装置３から受信したセル１００における参照信号Ｔ１−１〜Ｔ１−Ｐのそれぞれの受信電力ＰＡ（１）〜ＰＡ（Ｐ）のうち、最も高い値のものをセル１００の基準値ＲＰとする。また、端末装置１は、算出したセル１００の基準値ＲＰを測定レポートとして基地局装置３にフィードバックしてもよい。本例における端末装置１は、基地局装置３がセル内での最もよい送信ビーム（best Tx beam）および／またはもっともよい受信ビーム（best Rx beam）を用いた場合のＲＳＲＰに基づいてセルを選択するため、選択したセルの下りリンク信号において高いビーム利得が得られる。
【０１００】
別の一例として、端末装置１は、基地局装置３から受信したセル１００における参照信号Ｔ１−１〜Ｔ１−Ｐのそれぞれの受信電力ＰＡ（１）〜ＰＡ（Ｐ）を平均した値をセル１００の基準値ＲＰとする。また、端末装置１は、算出したセル１００の基準値ＲＰを測定レポートとして基地局装置３にフィードバックしてもよい。本例における端末装置１は、キャンプしたセルにおいて下りリンク信号の送信に用いられている送信ビームがブロッケージ等により受信特性が劣化した場合に、セルの再選択をすることなく同一セル内での他の良好な送信ビームおよび／または受信ビームへスイッチすることできる。
【０１０１】
別の一例として、端末装置１は、基地局装置３から受信したセル１００における参照信号Ｔ１−１〜Ｔ１−Ｐのそれぞれの受信電力ＰＡ（１）〜ＰＡ（Ｐ）のうち高いものからＮ個を平均した値をセルＣ１０の基準値ＲＰとする。また、端末装置１は、算出したセル１００の基準値ＲＰを測定レポートとして基地局装置３にフィードバックしてもよい。本例における端末装置１は、同一セル内の受信特性の悪い送信ビームおよび／または受信ビームに影響されることなく、セルの選択および／再選択を行なうことができ、かつ同一セル内の他の良好な送信ビームおよび／または受信ビームへスイッチすることができる。
【０１０２】
また、本実施形態における端末装置１があるセルを在圏セル（serving cell）としている場合に、当該在圏セルにおいて送信する上りリンク信号および／または上りリンクチャネルの送信電力を決定する送信電力制御の手順について図９に示すフロー図を用いて説明する。
【０１０３】
図９のステップＳ２００１において、端末装置１は、基地局装置３から同期信号、システム情報、および／または上位レイヤ信号を介して、あるセルに対応する複数の参照信号の設定を特定するための情報を受信する。
【０１０４】
図９のステップＳ２００２において、端末装置１は、在圏セルにおけるパスロス（伝搬損失）を算出する場合に、在圏セルにおける複数の参照信号の設定の少なくとも一部（例えば、対応する設定のそれぞれを参照信号設定Ｂと称してもよい）に対応する１つまたは複数の参照信号のそれぞれのＲＳＲＰ（例えば、受信電力ＰＢと称する）および／またはＲＳＲＱ（例えば、受信品質ＱＢと称する）を測定／特定する。例えば、端末装置１は、セルから送信された複数の参照信号に対応する複数の時間／周波数リソースおよび／または複数のアンテナポートのそれぞれにおけるＲＳＲＰおよび／またはＲＳＲＱを測定／特定してもよい。例えば、端末装置１は、基地局装置３からの信号（例えば、上位レイヤ信号、制御チャネル等）を介して指示された１つの参照信号設定Ｂに対応する１つのＲＳＲＰおよび／またはＲＳＲＱを測定／特定してもよい。
【０１０５】
図９のステップＳ２００３において、端末装置１は、測定／特定した１つまたは複数の受信電力ＰＢのいずれか１つに基づいて、在圏セルにおいて送信する上りリンク信号および／または上りリンクチャネルの送信電力を決定する。例えば、端末装置１は、測定／特定した１つまたは複数の受信電力ＰＢのいずれか１つに基づいて、在圏セルにおける端末装置１と基地局装置３との間の下りリンクのパスロスを算出する。端末装置１は、特定した複数の第２の設定に基づく複数の受信電力ＰＢのうち、最も高い値のものに基づいて下りリンクのパスロスを算出してもよい。ただし、測定／特定した複数の受信電力ＰＢのそれぞれに対してパスロスを算出し、値の最も小さいものを在圏セルにおけるパスロスとしてもよい。例えば、パスロスは数式（１）により算出されてもよい。
【０１０６】
【数１】
2018117147.tif 000003
【０１０７】
ただし、ReferenceSignalPowerは、参照信号設定Ｂに対応する参照信号の送信電力であり、上位レイヤ信号あるいは下りリンク制御チャネルを介して通知された情報に基づいて特定されてよい。ただし、higherlayerfiltered RSRPは、参照信号設定Ｂに基づいて測定／特定した受信電力ＰＢであり、上位レイヤが物理レイヤによる測定値に対してフィルタリング処理を施した受信電力であってよい。式（１）により算出された下りリンクのパスロス値は、上り回線のパスロスとほぼ同値であるものとみなし、上りリンクのパスロスの補償に使用される。
【０１０８】
また、端末装置１は算出したパスロスに基づいて送信する上りリンク信号および／または上りリンクチャネルの送信に用いる送信電力を決定する。例えば、端末装置１が送信するＰＳＣＨの送信電力は数式（２）によって算出されてもよい。
【０１０９】
【数２】
2018117147.tif 000004
【０１１０】
ＰＣＭＡＸは、端末装置１の最大送信電力を表している。ＭＰＳＣＨは、送信帯域幅を表している。また、ＰＯ＿ＰＳＣＨは、ＰＳＣＨの基準受信電力を表している。αは、セル全体のフラクショナル送信電力制御に用いられるパスロス係数である。ΔＴＦは、上り回線信号の変調符号化方式（MCS：Modulation and Coding Schemes）に依存したパラメータである。また、ｆは、基地局装置から通知されるＴＰＣコマンドで決定される受信電力の過不足の補正値である。
【０１１１】
ただし、上記した複数の参照信号設定Ａと複数の参照信号設定Ｂは同一のものであってもよい。例えば、複数の参照信号設定Ａと複数の参照信号設定Ｂは、同一の参照信号に対する設定であってもよい。例えば、複数の参照信号の設定に対応する複数の参照信号のそれぞれの受信電力である複数の受信電力ＰＡに基づいてキャンプするに適したセルを決定し、該複数の受信電力ＰＡのうちいずれか１つに基づいて在圏セルにおいて送信する上りリンク信号および／または上りリンクチャネルの送信電力を決定してもよい。
【０１１２】
ただし、上記した複数の参照信号設定Ａと複数の参照信号設定Ｂは、独立した参照信号に対する設定であってもよい。例えば、参照信号設定Ａは、第１の参照信号に対する設定であり、参照信号設定Ｂは、第２の参照信号に対する設定であってもよい。端末装置１は、複数の参照信号設定Ａに対応する複数の第１の参照信号のそれぞれに対応する複数の受信電力ＰＡに基づいてキャンプするに適したセルを決定し、複数の参照信号設定Ｂに対応する複数の第２の参照信号のいずれか１つに対応する受信電力ＰＢに基づいて在圏セルにおいて送信する上りリンク信号および／または上りリンクチャネルの送信電力を決定してもよい。
【０１１３】
以下、本実施形態における装置の構成について説明する。
【０１１４】
図１０は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。無線送受信部１０を送信部、受信部、または、物理層処理部とも称する。上位層処理部１４を測定部または制御部とも称する。
【０１１５】
上位層処理部１４は、ユーザの操作等により生成された上りリンクデータ（トランスポートブロックと称されてもよい）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。
【０１１６】
上位層処理部１４は、各種設定情報／パラメータに基づいて、スケジューリングリクエストの伝送の制御を行う。
【０１１７】
上位層処理部１４は、自装置の各種設定情報／パラメータの管理をする。上位層処理部１４は、基地局装置３から受信した上位層の信号に基づいて各種設定情報／パラメータをセットする。すなわち、上位層処理部１４は、基地局装置３から受信した各種設定情報／パラメータを示す情報に基づいて各種設定情報／パラメータをセットする。上位層処理部１４は、基地局装置３から受信した情報に基づいてあるセルにおける複数の参照信号の設定を特定する機能を有してもよい。上位層処理部１４は、特定した複数の参照信号の設定に対応する複数の参照信号のそれぞれのＲＳＲＰを特定する機能を有してもよい。上位層処理部１４は、複数の参照信号のＲＳＲＰに基づいてキャンプするに適したセルを選択する機能を有してもよい。
【０１１８】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。無線送受信部１０は、あるセルにおける複数の参照信号の設定を特定するための情報を受信する機能を有してもよい。無線送受信部１０は、複数の参照信号の設定に基づいて複数の参照信号を受信する機能を有してもよい。
【０１１９】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１２０】
ベースバンド部１３は、ＲＦ部１２から入力されたアナログ信号を、アナログ信号をデジタル信号に変換する。ベースバンド部１３は、変換したデジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１２１】
ベースバンド部１３は、データを逆高速フーリエ変換（Inverse Fast Fourier Transform: IFFT）して、ＯＦＤＭシンボルを生成し、生成されたＯＦＤＭシンボルにＣＰを付加し、ベースバンドのデジタル信号を生成し、ベースバンドのデジタル信号をアナログ信号に変換する。ベースバンド部１３は、変換したアナログ信号をＲＦ部１２に出力する。
【０１２２】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は在圏セルにおいて送信する上りリンク信号および／または上りリンクチャネルの送信電力を決定する機能を備えてもよい。ＲＦ部１２を送信電力制御部とも称する。
【０１２３】
図１１は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。無線送受信部３０を送信部、受信部、または、物理層処理部とも称する。また様々な条件に基づき各部の動作を制御する制御部を別途備えてもよい。上位層処理部３４を、端末制御部とも称する。
【０１２４】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。
【０１２５】
上位層処理部３４は、管理されている各種設定情報／パラメータに基づいて、スケジューリングリクエストに関する処理を行う。
【０１２６】
上位層処理部３４は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部３０に出力する。また、上位層処理部３４は、端末装置１各々の各種設定情報／パラメータの管理をする。上位層処理部３４は、上位層の信号を介して端末装置１各々に対して各種設定情報／パラメータをセットしてもよい。すなわち、上位層処理部３４は、各種設定情報／パラメータを示す情報を送信／報知する。上位層処理部３４は、あるセルにおける複数の参照信号の設定を特定するための情報を送信／報知する。
【０１２７】
無線送受信部３０は、あるセルにおける複数の参照信号の設定を特定するための情報を送信する機能を有する。また、無線送受信部３０は、複数の参照信号を送信する機能を有する。その他、無線送受信部３０の一部の機能は、無線送受信部１０と同様であるため説明を省略する。なお、基地局装置３が１つまたは複数の送受信点４と接続している場合、無線送受信部３０の機能の一部あるいは全部が、各送受信点４に含まれてもよい。
【０１２８】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図１１において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、上位層処理部３４には、無線リソース管理（Ｒａｄｉｏ  Ｒｅｓｏｕｒｃｅ  Ｍａｎａｇｅｍｅｎｔ）層処理部や、アプリケーション層処理部が存在している。
【０１２９】
なお、図中の「部」とは、セクション、回路、構成装置、デバイス、ユニットなど用語によっても表現される、端末装置１および基地局装置３の機能および各手順を実現する要素である。
【０１３０】
端末装置１が備える符号１０から符号１６が付された部のそれぞれは、回路として構成されてもよい。基地局装置３が備える符号３０から符号３６が付された部のそれぞれは、回路として構成されてもよい。
【０１３１】
以下、本発明の一態様における、端末装置１および基地局装置３の態様について説明する。
【０１３２】
（１）本発明の第１の態様は、端末装置１であって、基地局装置３からあるセルにおいて送信される複数の参照信号に対応する複数の参照信号設定を特定し、前記複数の参照信号設定に基づいて複数の参照信号を受信する受信部１０と、前記複数の参照信号設定の少なくとも一部である１つまたは複数の第１の参照信号設定に対応する１つまたは複数の参照信号のそれぞれの受信電力（RSRP）である１つまたは複数の第１の受信電力を特定し、前記複数の参照信号設定の少なくとも一部である１つまたは複数の第２の参照信号設定に対応する１つまたは複数の参照信号のそれぞれの受信電力（RSRP）である１つまたは複数の第２の受信電力を特定する測定部１４と、前記１つまたは複数の第１の受信電力に基づいてキャンプするに適したセルを選択する制御部１４と、前記１つまたは複数の第２の受信電力のいずれか１つに基づいて在圏セルにおいて送信する上りリンク信号および／または上りリンクチャネルの送信電力を決定する送信電力制御部１２と、を備える。
【０１３３】
（２）本発明の第１の態様において、前記複数の参照信号設定は、前記複数の参照信号の時間および／または周波数のリソース、および／またはアンテナポート番号を示す情報を含んでもよい。
【０１３４】
（３）本発明の第１の態様において、前記１つまたは複数の第１の参照信号設定と前記１つまたは複数の第２の参照信号設定は同一の参照信号の設定であってもよい。
【０１３５】
（４）本発明の第１の態様において、前記１つまたは複数の第１の参照信号設定と前記１つまたは複数の第２の参照信号設定は異なる参照信号の設定であってもよい。
【０１３６】
（５）本発明の第２の態様は、端末装置１であって、基地局装置３からあるセルにおいて送信される複数の参照信号に対応する複数の参照信号設定に基づいて前記複数の参照信号を受信し、前記複数の参照信号のうち上りリンク信号および／または上りリンクチャネルの送信電力を決定するために用いる１つの参照信号を指示する第１の情報を受信する受信部１０と、前記第１の情報により指示された前記１つの参照信号に基づいて受信電力（RSRP）を特定する測定部１４と、前記受信電力に基づいて上りリンク信号および／または上りリンクチャネルの送信電力を決定する送信電力制御部１２と、決定した前記送信電力を用いて前記上りリンク信号および／または上りリンクチャネルを送信する送信部１０と、を備える。
【０１３７】
（６）本発明の第３の態様は、基地局装置３であって、端末装置１に、あるセルにおいて送信する複数の参照信号に対応する複数の参照信号設定に基づく前記複数の参照信号を送信し、前記複数の参照信号のうち上りリンク信号および／または上りリンクチャネルの送信電力を決定するために用いる１つの参照信号を指示する情報を送信する送信部３０と、前記上りリンク信号および／または上りリンクチャネルを受信する受信部３０と、を備える。
【０１３８】
（７）本発明の第４の態様は、基地局装置３であって、端末装置１に、あるセルにおいて送信する複数の参照信号に対応する複数の参照信号設定に基づく前記複数の参照信号を送信し、前記端末装置１が１つまたは複数の第１の受信電力に基づいてキャンプするに適したセルを選択するためのパラメータを送信する送信部３０と、前記端末装置１が１つまたは複数の第２の受信電力のいずれか１つに基づいて在圏セルにおいて送信する上りリンク信号および／または上りリンクチャネルの送信電力を決定するための制御を行なう端末制御部３４と、を備え、前記１つまたは複数の第１の受信電力は、前記複数の参照信号設定の少なくとも一部である１つまたは複数の第１参照信号設定に対応する複数の参照信号のそれぞれの受信電力（RSRP）であり、前記１つまたは複数の第２の受信電力は、前記複数の参照信号設定の少なくとも一部である１つまたは複数の第２の参照信号設定に対応する複数の参照信号のそれぞれの受信電力（RSRP）である。
【０１３９】
（Ａ１）本発明の一態様は、以下のような手段を講じた。すなわち、本発明の第５の態様は、端末装置であって、基地局装置からあるセルにおいて複数の参照信号を受信する受信部と、前記複数の参照信号のうちの１つまたは複数の参照信号受信電力（ＲＳＲＰ）を測定する測定部と、前記測定した１つまたは複数のＲＳＲＰのうち、高いものからＮ個のＲＳＲＰを平均して、前記セルの基準ＲＳＲＰとする算出部と、を備える。
【０１４０】
（Ａ２）本発明の第６の態様は、端末装置であって、前記１つまたは複数のＲＳＲＰのいずれか１つに基づいて、前記あるセルにおいて送信する上りリンク信号および／または上りリンクチャネルの送信電力を決定する送信電力制御部と、を備える。
【０１４１】
（Ａ３）本発明の第７の態様は、端末装置であって、前記参照信号は、セカンダリ同期信号である。
【０１４２】
（Ａ４）本発明の第８の態様は、基地局装置であって、端末装置に、あるセルにおいて複数の参照信号を送信する送信部と、前記端末装置が受信した前記複数の参照信号のうちの１つまたは複数の参照信号受信電力（ＲＳＲＰ）のうち、Ｎ個のＲＳＲＰを平均した基準ＲＳＲＰの測定レポートを受信する受信部と、を備える。
【０１４３】
（Ａ５）本発明の第９の態様は、基地局装置であって、前記受信部は、前記端末装置から、前記１つまたは複数のＲＳＲＰのいずれか１つに基づく送信電力で送信された上りリンク信号および／または上りリンクチャネルを受信する。
【０１４４】
（Ａ６）本発明の第１０の態様は、基地局装置であって、前記参照信号は、セカンダリ同期信号である。
【０１４５】
（Ａ７）本発明の第１１の態様は、端末装置に用いられる通信方法であって、基地局装置からあるセルにおいて複数の参照信号を受信し、前記複数の参照信号のうちの１つまたは複数の参照信号受信電力（ＲＳＲＰ）を測定し、前記測定した１つまたは複数のＲＳＲＰのうち、高いものからＮ個のＲＳＲＰを平均して、前記セルの基準ＲＳＲＰとする。
【０１４６】
（Ａ８）本発明の第１２の態様は、基地局装置に用いられる通信方法であって、端末装置に、あるセルにおいて複数の参照信号を送信し、前記端末装置が受信した前記複数の参照信号のうちの１つまたは複数の参照信号受信電力（ＲＳＲＰ）のうち、Ｎ個のＲＳＲＰを平均した基準ＲＳＲＰの測定レポートを受信する。
【０１４７】
本発明の一態様に関わる装置で動作するプログラムは、本発明の一態様に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１４８】
尚、本発明の一態様に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１４９】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１５０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５１】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１５２】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０１５３】
１（１Ａ、１Ｂ）  端末装置
３  基地局装置
４  送受信点（ＴＲＰ）
１０  無線送受信部
１１  アンテナ部
１２  ＲＦ部
１３  ベースバンド部
１４  上位層処理部
３０  無線送受信部
３１  アンテナ部
３２  ＲＦ部
３３  ベースバンド部
３４  上位層処理部
５０  送信ユニット（ＴＸＲＵ）
５１  位相シフタ
５２  アンテナエレメント
【図１】
2018117147.tif 000005
【図２】
2018117147.tif 000006
【図３】
2018117147.tif 000007
【図４】
2018117147.tif 000008
【図５】
2018117147.tif 000009
【図６】
2018117147.tif 000010
【図７】
2018117147.tif 000011
【図８】
2018117147.tif 000012
【図９】
2018117147.tif 000013
【図１０】
2018117147.tif 000014
【図１１】
2018117147.tif 000015
【国際調査報告】
2018117147.tif 000016
2018117147.tif 000017
2018117147.tif 000018